(57)【特許請求の範囲】
【請求項１】
複数の端末と通信し、呼処理を行う呼処理システムであって、
利用者毎に、着信を許可する発番号と着信を拒否する発番号とを含む電話帳を記憶する記憶手段と、
着信呼の発番号が、前記着信呼の着信先の利用者の前記電話帳に含まれていない場合、前記着信呼の発信元の端末に対して、所定のトーキーを送信する、呼制御手段と、
を有し、
前記記憶手段は、発番号と該発番号ごとのリスク度合いとが対応づけられる共有電話帳を記憶し、
前記呼制御手段は、前記着信呼の発番号が前記共有電話帳に含まれる場合、前記着信呼の着信先の端末に対して、前記リスク度合いに対応するトーキーを送信する、呼処理システム。
【請求項２】
前記呼制御手段は、前記着信呼を録音すると共に、前記着信呼の着信先の利用者の前記電話帳に含まれていない発番号から着信呼を受けたことを、前記着信呼の着信先の利用者の管理者の端末に通知し、
前記所定のトーキーは、該着信呼が録音されることを示すトーキーである、
請求項１に記載の呼処理システム。
【請求項３】
前記呼制御手段は、前記着信呼の着信先の利用者の前記電話帳に含まれていない発番号から所定の回数以上の着信があった場合、前記着信呼における通話の中で所定のキーワードが検出された場合、又は、前記着信呼における通話が開始されてから所定の時間以上経過した場合に、前記管理者の端末に通知する、
請求項２に記載の呼処理システム。
【請求項４】
複数の端末と通信し、呼処理を行う呼処理システムが行う呼処理方法であって、
利用者毎に、着信を許可する発番号と着信を拒否する発番号とを含む電話帳を記憶手段に記憶するステップと、
発番号と該発番号ごとのリスク度合いとが対応づけられる共有電話帳を前記記憶手段に記憶するステップと、
着信呼の発番号が、前記着信呼の着信先の利用者の前記電話帳に含まれていない場合、前記着信呼の発信元の端末に対して、所定のトーキーを送信するステップと、
を有し、
前記送信するステップは、前記着信呼の発番号が前記共有電話帳に含まれる場合、前記着信呼の着信先の端末に対して、前記リスク度合いに対応するトーキーを送信する、呼処理方法。
【請求項５】
コンピュータを、請求項１乃至３のいずれか一項に記載の呼処理システムの各手段として機能させるためのプログラム。
【発明の詳細な説明】
【技術分野】
【０００１】
本発明は、呼処理システム及び呼処理方法に関する。
【背景技術】
【０００２】
現在、迷惑電話に対して音声による応答メッセージを自動的に流すことで、利用者が電話を取らずに着信を拒否することが可能なサービスが固定電話事業者及び携帯電話事業者により提供されている。本サービスは、例えば、迷惑電話を受けた直後に利用者が所定のダイヤル操作を行うことで、それ以降同一の電話番号から着信があった場合に利用者に代わって着信を拒否する旨の応答メッセージを自動的に流すように動作する。
【先行技術文献】
【非特許文献】
【０００３】
【非特許文献１】ＮＴＴ東日本"迷惑電話おことわりサービス"、２０１４年４月、［２０１６年３月１５日検索］、インターネット＜URL: http://web116.jp/shop/manual/meiwaku_ai.pdf＞
【発明の概要】
【発明が解決しようとする課題】
【０００４】
しかしながら、振り込め詐欺などの行為において、犯人は、同一の電話番号ではなく異なる電話番号で何度も電話を掛けてくる場合が多い。また、振り込み詐欺に限らず、セールスなどのしつこい迷惑電話においても、同一の電話番号ではなく異なる電話番号で何度も電話を掛けてくる場合がある。このような場合、上述のサービスを利用したとしても着信を拒否することができないという問題がある。
【０００５】
本発明は上記に鑑みてなされたものであって、異なる電話番号で電話を掛けてくる迷惑電話に対処することが可能な技術を提供することを目的とする。
【課題を解決するための手段】
【０００６】
本発明の実施の形態に係る呼処理システムは、複数の端末と通信し、呼処理を行う呼処理システムであって、利用者毎に、着信を許可する発番号と着信を拒否する発番号とを含む電話帳を記憶する記憶手段と、着信呼の発番号が、前記着信呼の着信先の利用者の前記電話帳に含まれていない場合、前記着信呼の発信元の端末に対して、所定のトーキーを送信する、呼制御手段と、を有する。
【発明の効果】
【０００７】
本発明の実施の形態によれば、異なる電話番号で電話を掛けてくる迷惑電話に対処することが可能な技術が提供される。
【図面の簡単な説明】
【０００８】
【図１】実施の形態に係る通信システムの構成例を示す図である。
【図２】実施の形態に係る呼処理システムの機能構成の一例を示す図である。
【図３】管理者情報の一例を示す図である。
【図４】個人電話帳の一例を示す図である。
【図５】ブラック共有電話帳の一例を示す図である。
【図６】警告トーキー情報の一例を示す図である。
【図７】実施の形態に係る通信システムの動作例を示すシーケンス図である。
【図８】ホワイトリスト又はブラックリストへの簡易登録を実現する処理手順の一例を示すシーケンス図である。
【発明を実施するための形態】
【０００９】
以下、図面を参照して本発明の実施の形態を説明する。なお、以下で説明する実施の形態は一例に過ぎず、本発明が適用される実施の形態は、以下の実施の形態に限られるわけではない。以下の説明では音声通話を例に説明するが、本実施の形態はテレビ電話にも適用することができる。
【００１０】
＜システム構成、概要＞
図１は、実施の形態に係る通信システムの構成例を示す図である。本通信システムは、呼処理システム１０と、発信者の端末２０ａと、着信者の端末２０ｂと、管理者の端末２０ｃとを有する。図１の例では、発信者の端末２０ａと、着信者の端末２０ｂと、管理者の端末２０ｃとは、それぞれ１つずつ図示されているが、便宜上であり、それぞれ複数であってもよい。また、図１の例では、発信者の端末２０ａと、着信者の端末２０ｂと、管理者の端末２０ｃとを区別して図示しているが、発信者の端末２０ａと、着信者の端末２０ｂと、管理者の端末２０ｃとは同一の機能を有している。以下の説明において、端末２０ａ、端末２０ｂ及び端末２０ｃを区別しない場合は、単に「端末２０」と記載する。
【００１１】
呼処理システム１０は、発信者の端末２０ａから発信された呼を着信者の端末２０ｂに接続する呼処理を行う機能を有している。呼処理システム１０は、固定電話事業者又は携帯電話事業者により提供され、交換機、基地局、加入者管理装置等を含むシステムを想定している。しかしながら、呼処理システム１０は、例えばＰＢＸ（構内交換機：Private Branch eXchange）のように、小規模な通話網を構成するために用いられる装置であってもよい。すなわち、呼処理システム１０は、１台の装置で構成されていてもよいし、複数の装置の組み合わせにより構成されていてもよい。
【００１２】
端末２０は、通話機能を有する電話機である。端末２０は、例えば、携帯電話、固定電話、スマートフォン、タブレット端末、ＩＰ電話などである。
【００１３】
本実施の形態では、利用者又は利用者の管理者（例えば年配の利用者の子供など）は、呼処理システム１０に、着信を許可する電話番号（ホワイトリスト）と着信を拒否する電話番号（ブラックリスト）とを含む個人電話帳を予め登録しておく。着信を許可する電話番号（ホワイトリスト）は、例えば、利用者の家族の電話番号などであり、着信を拒否する電話番号（ブラックリスト）は、例えば、利用者が過去に迷惑電話であると判断した電話番号など、利用者が電話に出ることなく強制的に着信を拒否することを望む電話番号である。
【００１４】
実施の形態に係る呼処理システム１０は、着信呼の発番号（発信元の電話番号）が、利用者の個人電話帳に含まれていない場合（つまり、ホワイトリストにもブラックリストにも含まれていない場合）、着信呼の発信元の端末に対して、所定のトーキー（例えば、通話を録音する旨）を送信するように動作する。これにより、異なる電話番号で何度も迷惑電話を掛けてくるような発信者に、しつこいセールスや振り込め詐欺等に対する抑止効果を与えることが可能になる。
【００１５】
また、実施の形態に係る呼処理システム１０は、当該着信呼を実際に録音すると共に、利用者（着信者）の管理者の端末２０ｃに、利用者の電話帳に含まれていない発番号から着信呼を受けたことを通知するように動作する。これにより、管理者は、録音された着信呼を再生することで利用者（着信者）と発信者（迷惑電話を掛けてくる発信者）との間で行われた会話の内容を確認することができ、会話の内容によっては、利用者に警告（例えば、詐欺の可能性がある等）を行うといった対応や、利用者の電話帳のブラックリストに追加するといった対応を行うことが可能になる。
【００１６】
＜機能構成＞
図２は、実施の形態に係る呼処理システムの機能構成の一例を示す図である。実施の形態に係る呼処理システム１０は、呼処理部１０１、トーキー送信部１０２、通知部１０３、個人電話帳操作部１０４、電話帳管理部１０５、及び記憶部１０６を有する。なお、図２は、呼処理システム１０において本発明の実施の形態に特に関連する機能部のみを示すものであり、少なくとも呼処理を行うため図示しない機能も有するものである。
【００１７】
呼処理部１０１は、端末２０間で行われる通話を実現するための各種の呼処理を行う機能を有する。より具体的には、呼処理部１０１は、端末２０間で呼を確立する際に用いられる制御信号（共通線信号、ＳＩＰなど）の送受信、端末２０間で送受信される音声データの中継等を行う。また、呼処理部１０１は、トーキー送信部１０２から送信されるトーキーを所定の端末２０に中継する機能、及び通話を録音する機能を有する。
【００１８】
トーキー送信部１０２は、呼処理部１０１の指示により所定のトーキー（例えば、通話を録音する旨、警告トーキー情報に格納されているトーキーなど）を送信（出力）する機能を有する。なお、トーキー送信部１０２は、呼処理部１０１に含まれていてもよい。
【００１９】
通知部１０３は、利用者の個人電話帳に含まれていない発番号から着信呼を受けたことを検出し、管理者の端末２０ｃに通知する機能を有する。
【００２０】
個人電話帳操作部１０４は、利用者又は利用者の管理者の指示を受けて、個人電話帳に対する各種操作（登録、削除、更新など）を行う機能を有する。
【００２１】
電話帳管理部１０５は、各利用者の個人電話帳に格納されている情報をブラック共有電話帳にマージする機能を有する。ブラック共有電話帳の内容については後述する。
【００２２】
電話帳管理部１０５は、ブラック共有電話帳に格納されている情報のうち、特定の発番号（例えば、危険度が所定の度合いより大きいレコードの発番号など）をブラックリストとして各利用者の個人電話帳に自動的に登録する機能を有していてもよい。また、電話帳管理部１０５は、当該特定のレコードをブラックリストとして個人電話帳に登録する際、管理者に問い合わせを行い、管理者の許可を受けてから登録するようにしてもよい。
【００２３】
記憶部１０６は、管理者情報、個人電話帳、ブラック共有電話帳、警告トーキー情報を記憶する。記憶部１０６は、呼処理システム１０が備える記憶装置（メモリ、ＨＤＤ等）等を用いて実現可能である。
【００２４】
図３は、管理者情報の一例を示す図である。管理者情報は、利用者と利用者の管理者とを対応づける情報である。図３の例では、利用者Ａの管理者はＸであり、利用者Ｂの管理者はＹであることを示している。
【００２５】
図４は、個人電話帳の一例を示す図である。個人電話帳には、着信を許可する電話番号（ホワイトリスト）と着信を拒否する電話番号（ブラックリスト）とが利用者毎に登録される。図４の例では、利用者Ａの個人電話帳のみが図示されているが、他の利用者（利用者Ｂ、Ｃなど）の個人電話帳も登録可能である。
「ＴＥＬ」は発信元の電話番号であり、「リスト」は発信元の電話番号がホワイトリストなのかブラックリストなのかを識別するための情報である。図４の例では、ＴＥＬ１及びＴＥＬ２はホワイトリストであり、ＴＥＬ３０及びＴＥＬ４０はブラックリストである。
【００２６】
「カテゴリ」は、発信元の電話番号が、どのような目的で迷惑電話を掛けてくる相手の電話番号なのかを示す情報（本実施の形態では、セールス又は詐欺を想定）である。「着信回数」は、発信元の電話番号から何回着信したかの累積回数を示す情報である。図４の例では、ＴＥＬ３０から２回、ＴＥＬ４０から１回着信したことを示している。
【００２７】
なお、「リスト」及び「カテゴリ」に登録される情報は、発信元の電話番号が新たに登録される際に利用者又は利用者の管理者の判断で入力される。「着信回数」については呼処理部１０１により自動的に更新される。また、「カテゴリ」及び「着信回数」は、ホワイトリストの電話番号に対しては格納されなくてもよい。
【００２８】
図５は、ブラック共有電話帳の一例を示す図である。ブラック共有電話帳には、各利用者の個人電話帳にてブラックリストとして登録されたレコードがマージされて登録される。マージ処理は、電話帳管理部１０５により定期的又は所定のタイミングで行われる。
【００２９】
「着信回数（総数）」には、各利用者の個人電話帳における各レコードの「着信回数」の合計が格納される。例えば、図５において、ＴＥＬ３０の着信回数（総数）は１００回と図示されているが、これは、各利用者（利用者Ａ、Ｂ、Ｃ・・）の個人電話帳のブラックリストに登録されているＴＥＬ３０の「着信回数」の合計が１００回であることを示している。
【００３０】
「経過時間」には、レコードが最初にブラック共有電話帳に登録（マージ）された時間からの経過時間を示す。「危険度」は、発信者の電話番号のリスク度合いを示しており、電話帳管理部１０５により判定されたリスク度合いが格納される。
【００３１】
ここで、電話帳管理部１０５が「危険度」を判定する際の具体例について説明する。例えば、電話帳管理部１０５は、「着信回数（総数）」と所定の閾値とを比較することで「危険度」を判定するようにしてもよい。具体例として、電話帳管理部１０５は、着信回数が１０回以下の場合は危険度１と判定し、１１〜５０回の場合は危険度２と判定し、５１回以上は危険度３と判定するようにしてもよい。迷惑電話を掛けてくる相手は、複数の電話回線を保持し、これらの複数の電話回線を使い回すことで様々な利用者に電話を掛けていることが想定される。従って、各利用者のブラックリストにおける着信回数を累計することで、統計的に危険度を判断出来ると考えられる。所定の閾値は、「カテゴリ」ごとに異なる回数であってもよい。例えば、「カテゴリ」が詐欺である場合は、セールスである場合よりも閾値を低く（つまり、危険度がセールスよりも高く判定される）してもよい。
【００３２】
また、電話帳管理部１０５は、「着信回数（総数）」と「経過時間」から所定の単位時間（例えば１日）あたりの着信回数を算出し、所定の単位時間あたりの着信回数と所定の閾値とを比較することで「危険度」を判定するようにしてもよい。具体例として、電話帳管理部１０５は、１日あたりの着信回数が３回以下の場合は危険度１と判定し、４〜１０回の場合は危険度２と判定し、１１回以上は危険度３と判定するようにしてもよい。所定の閾値は、「カテゴリ」ごとに異なる回数であってもよい。例えば、「カテゴリ」が詐欺である場合は、セールスである場合よりも閾値を低く（つまり、危険度がセールスよりも高く判定される）してもよい。
【００３３】
電話帳管理部１０５は、所定のタイミング（例えば、マージ処理を行う都度）で「危険度」を判定して更新するようにしてもよい。
【００３４】
図６は、警告トーキー情報の一例を示す図である。警告トーキー情報には、危険度に応じて送信すべきトーキーが格納される。警告トーキー情報の「カテゴリ」及び「危険度」は、ブラック共有電話帳の「カテゴリ」及び「危険度」に対応している。
【００３５】
＜通信システムの動作例＞
（発着信処理について）
図７は、実施の形態に係る通信システムの動作例を示すシーケンス図である。図７を用いて、実施の形態に係る通信システムが行う発着信処理の例を具体的に説明する。なお、図７において、着信者は利用者Ａである前提とする。また、利用者Ａの管理者は管理者Ｘである前提とする。
【００３６】
ステップＳ１０１で、発信者の端末２０ａから着信者（利用者Ａ）の端末２０ｂに向けて発信が行われる。
【００３７】
ステップＳ１０２で、呼処理システム１０の呼処理部１０１は、端末２０ａの発番号（端末２０ａから発信された呼の発番号）が、着信者である利用者Ａの個人電話帳に登録されているか否かを判定する。端末２０ａの発番号が、利用者Ａの個人電話帳のホワイトリストに登録されている場合、ステップＳ１０３の処理手順に進む。端末２０ａの発番号が、利用者Ａの個人電話帳のブラックリストに登録されている場合、ステップＳ１１１の処理手順に進む。端末２０ａの発番号が、利用者Ａの個人電話帳のホワイトリストにもブラックリストにも登録されておらず、更に、ブラック共有電話帳にも登録されていない場合、ステップＳ１２１の処理手順に進む。端末２０ａの発番号が、利用者Ａの個人電話帳のホワイトリストにもブラックリストにも登録されていないが、ブラック共有電話帳には登録されている場合、ステップＳ１３１の処理手順に進む。
【００３８】
ステップＳ１０３及びステップＳ１０４で、呼処理部１０１は、発信者の端末２０ａ及び着信者の端末２０ｂに呼び出し音を送信する。ステップＳ１０５で、呼処理部１０１は、発信者の端末２０ａ及び着信者の端末２０ｂの間で呼を確立し、発信者と着信者（利用者Ａ）との間で通話が開始される。
【００３９】
ステップＳ１１１で、呼処理部１０１は、トーキー送信部１０２に対して"着信は拒否されます"とのトーキーを出力するように指示し、トーキー送信部１０２から出力されたトーキーを発信者の端末２０ａに送信する。また、呼処理部１０１は、トーキー送信後に呼を切断する。
【００４０】
ステップＳ１２１で、呼処理部１０１は、トーキー送信部１０２に対して"通話は録音されます"とのトーキーを出力するように指示し、トーキー送信部１０２から出力されたトーキーを発信者の端末２０ａに送信する。
【００４１】
ステップＳ１２２で、呼処理システム１０の呼処理部１０１は、着信者の端末２０ｂに呼び出し音を送信する。
【００４２】
ステップＳ１２３で、呼処理部１０１は、発信者の端末２０ａ及び着信者の端末２０ｂの間で呼を確立し、発信者と着信者（利用者Ａ）との間で通話が開始される。また、呼処理部１０１は当該通話を録音し、録音データを記憶部１０６に格納する。
【００４３】
ステップＳ１２４で、通知部１０３は、管理者情報を参照して利用者Ａの管理者Ｘを特定し、利用者Ａのホワイトリストにもブラックリストにも登録されていない発番号からの着信を受けたことを、管理者Ｘの端末２０ｃに通知する。
【００４４】
ステップＳ１３１で、呼処理部１０１は、トーキー送信部１０２に対して"通話は録音されます"とのトーキーを出力するように指示し、トーキー送信部１０２から出力されたトーキーを発信者の端末２０ａに送信する。
【００４５】
ステップＳ１３２で、呼処理部１０１は、ブラック共有電話帳を参照し、端末２０ａの発番号に対応するカテゴリ及び危険度を検索する。続いて、呼処理部１０１は、検索したカテゴリ及び危険度をトーキー送信部１０２に通知する。トーキー送信部１０２は、警告トーキー情報を参照し、呼処理部１０１から通知されたカテゴリ及び危険度に該当するトーキーを出力する。呼処理部１０１は、トーキー送信部１０２から出力されたトーキーを着信者の端末２０ｂに送信する。
【００４６】
ステップＳ１３３で、呼処理部１０１は、発信者の端末２０ａ及び着信者の端末２０ｂの間で呼を確立し、発信者と着信者（利用者Ａ）との間で通話が開始される。また、呼処理部１０１は当該通話を録音し、録音データを記憶部１０６に格納する。
【００４７】
ステップＳ１３４で、通知部１０３は、管理者情報を参照して利用者Ａの管理者Ｘを特定し、利用者Ａのホワイトリストにもブラックリストにも登録されていない発番号からの着信を受けたことを、管理者Ｘの端末２０ｃに通知する。なお、通知部１０３及びトーキー送信部１０２は、当該通知において、ステップＳ１３２の処理手順と同一のトーキー（呼処理部１０１から通知されたカテゴリ及び危険度に該当するトーキー）を出力するようにしてもよい。
【００４８】
（管理者への通知について）
以上説明した発着信処理では、端末２０ａの発番号が利用者Ａの個人電話帳のホワイトリストにもブラックリストにも登録されていない場合、管理者Ｘへの通知（ステップＳ１２４又はステップＳ１３４）がその都度行われることになる。本実施の形態では、当該通知が行われる際には通話の録音も同時に行われるため、管理者Ｘは録音された通話の内容を確認し、必要に応じて利用者Ａに注意喚起等を行うことができる。
【００４９】
しかしながら、録音された通話の内容を確認しても特に不審な電話ではないと判断するケースが多発すると、管理者は録音された通話の内容を毎回確認するのが面倒になり、その結果、不審な電話を見逃してしまう可能性がある。
【００５０】
そこで、本実施の形態では、ステップＳ１２４及びステップＳ１３４の処理手順において、呼処理システム１０の通知部１０３は、所定の条件を満たす場合に限り管理者への通知を行うようにしてもよい。
【００５１】
［所定の条件の例（その１）］
一般的に、初めて受けた電話で詐欺等に合う可能性は低いと想定される。そこで、通知部１０３は、同一の発番号から同一の着信者に対して設定回数以上（例えば２回以上など）の着信を受けた場合に管理者への通知を行うようにしてもよい。設定回数は、管理者から指示された回数を設定してもよいし、予め決められた回数であってもよい。また、設定回数は、管理者の指示により任意のタイミングでリセットすることを可能にしてもよい。
【００５２】
［所定の条件の例（その２）］
一般的に、詐欺やセールスを行う者は、同一又は異なる発番号を用いて短期間に何度も電話をしてくることが多いと想定される。そこで、通知部１０３は、同一又は異なる発番号から同一の着信者に対して、所定の期間内に設定回数以上（例えば１週間に１０回以上など）の着信を受けた場合に管理者への通知を行うようにしてもよい。所定の期間及び設定回数は、管理者から指示された期間及び回数を設定してもよいし、予め決められた期間及び回数であってもよい。また、所定の期間及び設定回数は、管理者の指示により任意のタイミングでリセットすることを可能にしてもよい。
【００５３】
［所定の条件の例（その３）］
一般的に、詐欺等が行われる際には特定のキーワードが用いられる可能性が高い、そこで、通知部１０３は、ステップＳ１２３又はステップＳ１３３の処理手順で行われる通話の中で、特定のキーワードが発言された場合に管理者への通知を行うようにしてもよい。特定のキーワードとは、例えば、「振り込んで」、「ＡＴＭ」、「電話番号が変わった」、「法的手段」などである。
【００５４】
［所定の条件の例（その４）］
一般的に、詐欺やセールスが行われる際は通話時間が長いと想定される。そこで、通知部１０３は、ステップＳ１２３又はステップＳ１３３の処理手順で行われる通話が開始されてから所定の時間以上経過した場合に管理者への通知を行うようにしてもよい。
【００５５】
以上説明した所定の条件の例（その１〜４）は、任意に組み合わされてもよい。例えば、通知部１０３は、所定の条件の例（その１〜４）のうちいずれか１つを満たす場合に管理者に通知を行うようにしてもよいし、所定の条件の例（その１及び３）の両方を満たす場合、又は、所定の条件の例（その２及び３）の両方を満たす場合に管理者に通知を行うようにしてもよい。
【００５６】
（着信者への注意喚起について）
通知部１０３は、ステップＳ１２４及びステップＳ１３４の処理手順において管理者に通知を行う場合、管理者に加えて（又は管理者に代えて）、着信者に対しても注意喚起を行うようにしてもよい。例えば、通知部１０３は、着信者に対してキャッチホンの通知（例えば、"プッ、プッ、プッ"という音を送信）を行うことで、着信者に対しても注意喚起を行うようにしてもよい。
【００５７】
また、通知部１０３は、当該注意喚起を、前述の所定の条件の例（その１〜４）のうちいずれか１つ（又は複数）を満たす場合に行うようにしてもよい。管理者への通知を行うか否かの判断に用いられる所定の条件と、当該注意喚起を行うか否かの判断に適用される所定の条件は異なっていてもよい。例えば、通知部１０３は、所定の条件の例（その１〜４）のうちいずれか１つを満たす場合に管理者に通知を行い、更に、所定の条件の例（その２及び３）の両方を満たす場合に限り着信者に注意喚起を行うようにしてもよい。
【００５８】
（ホワイトリスト・ブラックリストへの登録について）
以上説明した実施の形態では、個人電話帳は、利用者又は利用者の管理者が登録等を行う。そこで、管理者が録音された通話について特に問題無い（怪しい電話ではない）と判断した場合、又は、問題有り（怪しい電話である）と判断した場合に、当該通話に係る発番号を、個人電話帳のホワイトリスト又はブラックリストに容易に登録可能な仕組みを提供するようにしてもよい。
【００５９】
図８は、ホワイトリスト又はブラックリストへの簡易登録を実現する処理手順の一例を示すシーケンス図である。以下の説明は、管理者Ｘが、図７のステップＳ１２４及びステップＳ１３４の処理手順による通知を受けて、録音された通話を確認しようとしている状況を想定している。
【００６０】
ステップＳ２０１で、管理者Ｘは、録音された通話を確認するため、録音を再生するためのプッシュ操作を行う。
【００６１】
ステップＳ２０２で、呼処理システム１０の呼処理部１０１は、録音された通話を再生する。
【００６２】
ステップＳ２０３で、管理者Ｘは、当該通話は特に問題無い（怪しい電話ではない）と判断した場合、当該通話の発番号をホワイトリストに登録するためのプッシュ操作（例えば「１」など）を行う。また、管理者Ｘは、当該通話は問題有り（怪しい電話である）と判断した場合、当該通話の発番号をブラックリストに登録するためのプッシュ操作（例えば、各カテゴリに対応づけられている「２」〜「９」など）を行う。
【００６３】
ステップＳ２０４で、呼処理システム１０の個人電話帳操作部１０４は、録音された通話の発番号を、ホワイトリスト又はブラックリストとして利用者Ａの個人電話帳に登録する。
【００６４】
＜実施形態の補足＞
以上、実施の形態に係る呼処理システム１０が有する各機能部は、ＣＰＵ及びメモリなどのハードウェア資源を用いて、呼処理システム１０で実施される処理に対応するプログラムを実行することによって実現することが可能である。また、当該プログラムは、記憶媒体に格納することができる。
【００６５】
実施の形態において、呼処理部１０１、トーキー送信部１０２及び通知部１０３は、呼制御手段の一例である。
【符号の説明】
【００６６】
１０  呼処理システム
２０  端末
１０１  呼処理部
１０２  トーキー送信部
１０３  通知部
１０４  個人電話帳操作部
１０５  電話帳管理部
１０６  記憶部
【図１】
0006584993.tif 000002
【図２】
0006584993.tif 000003
【図３】
0006584993.tif 000004
【図４】
0006584993.tif 000005
【図５】
0006584993.tif 000006
【図６】
0006584993.tif 000007
【図７】
0006584993.tif 000008
【図８】
0006584993.tif 000009